【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
表示手段に対するタッチ操作を検出するタッチ検出手段と、
それぞれ特定の機能が割り当てられた複数の表示アイテムを、第１の方向に並べて前記表示手段に表示させるように制御する表示制御手段と、
表示された前記複数の表示アイテムのうち、タッチされた表示アイテムをタッチしたまま移動するタッチムーブによってドラッグし、
当該タッチムーブの移動量が、前記第１の方向と異なる第２の方向に所定距離以上となっていない場合は、ドラッグ中の表示アイテムのドラッグ前の位置と現在の位置との間に位置する複数のアイテムを、前記ドラッグ中の表示アイテムがドラッグ前に位置していた方向に移動する第１の並び替え制御を行い、
当該タッチムーブの移動量が、前記第１の方向と異なる第２の方向に所定距離以上となった場合は、ドラッグ中の表示アイテムからタッチが離されると、ドラッグしていた表示アイテムをタッチが離された位置に対応する位置にドロップすると共に、ドロップした位置にあった他の表示アイテムを、ドロップした表示アイテムのドラッグ前の位置に移動する第２の並び替え制御を行う制御手段と、を有することを特徴とする表示制御装置。
【請求項２】
前記制御手段は、当該タッチムーブの移動量が、前記第２の方向に前記所定距離以上となり、前記第２の並び替え制御を行っている状態から、継続されるタッチムーブにより、開始したタッチ位置と現在のタッチ位置との前記第２の方向の距離が前記所定距離未満となっても、前記第１の並び替え制御を行わないことを特徴とする請求項１に記載の表示制御装置。
【請求項３】
前記制御手段は、当該タッチムーブの移動量が、前記第２の方向に前記所定距離となっておらず、前記第１の並び替え制御を行っている状態から、継続されるタッチムーブにより、開始したタッチ位置と現在のタッチ位置との前記第２の方向の距離が前記所定距離以上となった場合、前記第２の並び替え制御を行うことを特徴とする請求項１または２に記載の表示制御装置。
【請求項４】
前記制御手段は、前記第１の並び替え制御を行っている状態では、前記ドラッグ中の表示アイテムをドロップする前に、前記複数の表示アイテムを、前記ドラッグ中の表示アイテムがドラッグ前に位置していた方向に移動することを特徴とする請求項１ないし３の何れか１項に記載の表示制御装置。
【請求項５】
前記制御手段は、前記第１の並び替え制御を行っている状態では、タッチムーブによるタッチ位置がドラッグしていない表示アイテムの表示領域まで移動したときに、前記複数の表示アイテムを、前記ドラッグ中の表示アイテムがドラッグ前に位置していた方向に移動することを特徴とする請求項４に記載の表示制御装置。
【請求項６】
前記制御手段は、前記第２の並び替え制御を行っている状態では、前記ドラッグ中の表示アイテムをドロップした後に、前記ドロップした位置にあった表示アイテムを移動することを特徴とする請求項１ないし５の何れか１項に記載の表示制御装置。
【請求項７】
前記制御手段により前記第２の並び替え制御を行っている状態において、タッチムーブによるタッチ位置がドラッグしていない表示アイテムの所定領域まで移動したとき、
前記表示制御手段は、前記ドラッグしていない表示アイテムを、入れ替え候補の表示アイテムとして識別可能に表示することを特徴とする請求項１ないし６の何れか１項に記載の表示制御装置。
【請求項８】
前記所定領域は、前記ドラッグされていない表示アイテムの表示領域と、前記表示領域を前記第２の方向に延長させた領域とを含む領域であることを特徴とする請求項７に記載の表示制御装置。
【請求項９】
前記表示制御手段は、複数の表示アイテムを前記第１の方向に並べた第１の表示アイテム群と、複数の表示アイテムを前記第１の方向に並べた第２の表示アイテム群とを、前記第２の方向に離して、前記表示手段に表示し、
前記制御手段は、
タッチ操作に応じて前記第１の表示アイテム群と、前記第２の表示アイテム群とを入れ替える第３の並び替え制御を行うことを特徴とする請求項１ないし８の何れか１項に記載の表示制御装置。
【請求項１０】
前記制御手段は、
前記第１の表示アイテム群と前記第２の表示アイテム群との間に入れ替え線を設定し、
前記第１の表示アイテム群および前記第２の表示アイテム群のうち、タッチされた表示アイテムをタッチしたまま移動するタッチムーブによってドラッグし、タッチムーブによるタッチ位置が前記入れ替え線を超えたときに、前記第１の表示アイテム群と、前記第２の表示アイテム群とを入れ替えることを特徴とする請求項９に記載の表示制御装置。
【請求項１１】
前記制御手段は、
前記入れ替え線を超えてから、再び前記入れ替え線を超えない位置に戻ったときに、前記第１の表示アイテム群と、前記第２の表示アイテム群との入れ替えを元に戻すことを特徴とする請求項１０に記載の表示制御装置。
【請求項１２】
前記制御手段は、前記ドラッグ中の表示アイテムからタッチが離されると、前記タッチムーブが解除された位置に応じて、前記第１の表示アイテム群と前記第２の表示アイテム群との入れ替えを確定することを特徴とする請求項１０または１１に記載の表示制御装置。
【請求項１３】
前記第１の方向と前記第２の方向は直交する方向であることを特徴とする請求項１ないし１２の何れか１項に記載の表示制御装置。
【請求項１４】
表示手段に対するタッチ操作を検出するタッチ検出ステップと、
それぞれ特定の機能が割り当てられた複数の表示アイテムを、第１の方向に並べて前記表示手段に表示させるように制御する表示制御ステップと、
表示された前記複数の表示アイテムのうち、タッチされた表示アイテムをタッチしたまま移動するタッチムーブによってドラッグし、
当該タッチムーブの移動量が、前記第１の方向と異なる第２の方向に所定距離以上となっていない場合は、ドラッグ中の表示アイテムのドラッグ前の位置と現在の位置との間に位置する複数のアイテムを、前記ドラッグ中の表示アイテムがドラッグ前に位置していた方向に移動する第１の並び替え制御を行い、
当該タッチムーブの移動量が、前記第１の方向と異なる第２の方向に所定距離以上となった場合は、ドラッグ中の表示アイテムからタッチが離されると、ドラッグしていた表示アイテムをタッチが離された位置に対応する位置にドロップすると共に、ドロップした位置にあった他の表示アイテムを、ドロップした表示アイテムのドラッグ前の位置に移動する第２の並び替え制御を行う制御ステップと、を有することを特徴とする表示制御装置の制御方法。
【請求項１５】
コンピュータを、請求項１ないし１３の何れか１項に記載された表示制御装置の各手段として機能させるためのプログラム。
【請求項１６】
コンピュータを、請求項１ないし１３の何れか１項に記載された表示制御装置の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
本発明は、表示手段に対するタッチ操作を検出するタッチ検出手段と、それぞれ特定の機能が割り当てられた複数の表示アイテムを、第１の方向に並べて前記表示手段に表示させるように制御する表示制御手段と、表示された前記複数の表示アイテムのうち、タッチされた表示アイテムをタッチしたまま移動するタッチムーブによってドラッグし、当該タッチムーブの移動量が、前記第１の方向と異なる第２の方向に所定距離以上となっていない場合は、ドラッグ中の表示アイテムのドラッグ前の位置と現在の位置との間に位置する複数のアイテムを、前記ドラッグ中の表示アイテムがドラッグ前に位置していた方向に移動する第１の並び替え制御を行い、当該タッチムーブの移動量が、前記第１の方向と異なる第２の方向に所定距離以上となった場合は、ドラッグ中の表示アイテムからタッチが離されると、ドラッグしていた表示アイテムをタッチが離された位置に対応する位置にドロップすると共に、ドロップした位置にあった他の表示アイテムを、ドロップした表示アイテムのドラッグ前の位置に移動する第２の並び替え制御を行う制御手段と、を有することを特徴とする。